(57)【特許請求の範囲】
【請求項１】
ポーチの下部においてそれぞれの脚開口（５０）の少なくとも一部を形成する側縁を有する可撓性材料片を含む子供運搬ポーチ（１３０）を有し、前記材料片が一方の主面上に第一布帛片（６９）および他方の主面上に第二布帛片（６８）を含む布帛ケースに封入された弾性可撓性シートを含み、前記第一布帛片および第二布帛片が共に縫合されて縫い目（６１）を有する子供用ハーネス（４０）において、
前記縫い目（６１）は、脚開口（５０）の領域において前記脚開口の側縁（５１）から内側へ少なくとも０．５ｃｍの距離を置いた位置に設けられ、それにより縫い目が運搬時の子供の脚に直接的に接触しないように適当なマージンを脚開口の側縁に提供していることを特徴とする、子供用ハーネス。
【請求項２】
前記縫い目（６１）は前記脚開口の側縁（５１）から少なくとも１ｃｍの距離に位置する、請求項１による子供用ハーネス。
【請求項３】
前記材料片は、材料片に固定された固定要素（３０）に上下移動可能に連結された中央細片状下部（１４０）を含み、かつ前記材料片の上側縁部は装着者の肩に担持されることが意図されたショルダストラップ（１０）に着脱自在に連結され、かつ前記縫い目（６１）は前記材料片の側縁（５１）から前記細片状下部（１４０）の側縁に沿って所定距離で延在している、請求項１または２による子供用ハーネス。
【発明の詳細な説明】
【技術分野】
【０００１】
本発明は請求項１の序文に記載の種類の子供用ハーネスに関する。
本発明は、従って、ポーチの下部にそれぞれの脚開口の少なくとも一部を形成する側縁を有する概ね可撓性材料片を含む子供運搬ポーチを有し、前記材料片が弾性可撓性シートを含み、前記可撓性シートの一方の主面上に第一布帛片およびシートの他方の主面上に第二布帛片を含む布帛ケースに包囲され、かつ前記第一布帛および第二布帛の層が共に縫合されて縫い目を形成しているハーネスに関する。『シート』の語は、薄い布状、板状または層状物を意味する。
【背景技術】
【０００２】
この種のハーネスの子供運搬ポーチにより子供に提供される快適さを評価する場合に、脚開口の縁が子供の脚の少なくとも一部の周り、特に股の周りを挟んで締めつける傾向があるかを検査する。この締め付けまたは圧搾作用は、ある場合に、子供の脚の血液循環を阻害する危険がある。
【０００３】
この締め付け作用は、当然ながら、子供により加わる荷重の主要部、即ち体重が脚開口の縁の領域においてポーチの下部に伝達されることに概ね起因する。しかし、観察された作用に関する理由の更に子細な検査により、二枚の布帛が充分に伸張可能であり、かつそのシートの可撓性が満足できるものであっても、布帛層間の縫い目がシートの縁に沿って位置し、即ち材料片の厚みの半分の厚さで位置することが発見されている。更に、本願発明者は、縫い目それ自体が、長手方向の伸縮性に関して相対的に硬質かつ剛性であることを知見している。縫い目の場所との関係で、子供を腹または背中が材料片の方向に向く状態でポーチ内に普通に着座させたときに、縫い目は子供の股部分に対してまたはその周りに押圧にされる。
【発明の開示】
【発明が解決しようとする課題】
【０００４】
本発明の課題は、技術的に簡単かつ容易な方法でこの問題を好適に解決することにある。
【課題を解決するための手段】
【０００５】
本発明の課題は、本発明の手段により一部または完全に達成される。
本発明は添付の独立請求項に記載されている。
本発明の他の形態は添付の従属請求項から理解できる。
上記問題および技術的理由を確認した結果として、技術面および生産面において、一部または全体的に上記課題に対する好適解決を達成できた。
【０００６】
本発明は、材料片の一方の主面上の縫い目を材料片の側縁から、それぞれの脚開口の側縁領域から相当の距離を置いた位置へ、移動させる概念に基づく。縫い目は、好適には材料片の側縁から約２ｃｍのところに位置決めされ、脚開口の側縁と接触する子供の脚の周辺領域に縫い目が接触しないように適当なマージンを提供する。
【０００７】
材料片が、材料片に固定された取付具に上下方向に移動可能に連結された細片状下部を有し、縫い目は、当然ながら、細片状下部の側縁に沿って平行に延在する。脚開口の側縁から間隔を置いて材料片の一方の主面上に形成され、かつ脚開口の側縁から縫い目は、当然、脚開口を形成する材料片の側縁部から所定距離で材料片の側縁に接近してよい。
【発明を実施するための最良の形態】
【０００８】
次に添付図面を参照して例示として本発明を詳細に説明する。
【０００９】
図１は、前片１３の内側を示し、前片１３はハーネス４０と共にハーネス４０の一面、例えば前側に対面設置されて子供運搬ポーチ１３０（図２）を形成する。前片１３は、このように、ハーネス４０により支持されることが意図され、ハーネス４０は二つのループ状肩紐，即ちショルダストラップ１０を含み、ショルダストラップ１０はハーネスの後側、即ち子供運搬ポーチを形成する面と反対側の面で取付具１１および三角形背片４７により相互に連結され、背片４７は可撓性材料により形成されかつ垂直方向に延びた弾性かつ曲折可能硬直部４６を含む。ループ１０は装着者の正面側に位置する下部に連結要素２０を担持し、連結要素２０は上端に関連ストラップループの一端のためのアタッチメント２２を含みかつその一側にループの他端のための移行開口を含む取付具２１を有し、この他端は背片４７に連結された長さ調節取付具４２まで延在する。それぞれの連結要素２０は、このように、ハーネスの前側に、二つの連結要素２０間を連結する水平ハーネス部を含むウエストベルトの端部を形成すると考えることができる。
【００１０】
前片１３は、前片１３に固定された固定要素３０内に形成された移行ループまたはアイレット３１を通って長手方向、即ちポーチの上下方向へ移動する細片状下部１４０を有する。固定要素３０は前方突出ピン３５を担持し、このピン３５は拡大頭部を有し、かつ細片状下部１４０の中央部に沿って配置された要素（ボタンホール）の列１３４に対応するプレススタド取付具（またはボタンホール）１３１に固定でき、固定要素に対する細片状下部１４０の移動を阻止することが意図されている。細片状下部１４０の有効長は垂直方向、即ちポーチの上下方向において前片１３の長手、そしてそのようにしてポーチ１３０の深さを決定する。
【００１１】
連結要素２０は固定要素３０のそれぞれの側に解除可能に連結できる。前片１３は着脱自在連結のための連結要素１３１をそれぞれの上側部に有し、対応する連結要素１７をハーネスの前側でストラップループ１０上に有する。各ループ１０はそのループの寸法を変更するために長さ調節取付具４２を含んでよい。ウエストストラップの長さは調節取付具４２を介して変更できる。
【００１２】
図１はハーネスの後側の内面を示し（この後側は装着者の背後側上に設置されることが意図されている）、かつ前片１３を示し、前片１３はハーネスの前側（即ち、装着者の胸側）に担持されることが意図されている。
【００１３】
前片１３は可撓性かつ弾性の、プラスチック発泡体による弾力シートを含む概ねフラットな材料片により形成され、かかるシートの第一主面は前片１３の内側を形成する。前片１３の内側は第一布帛６９を担持し、他方、反対主面は第二布帛６８を担持する。これらの布帛片は縫い目６１により共に結合される。
【００１４】
縫い目６１はポーチ１３０（図２）内の脚開口５０の側縁５１を形成する前片１３の縁から所定距離で延在する。縫い目６１と脚開口の側縁５１間の距離は大凡２ｃｍであり、かつ縫い目６１はその間隔で細片状下部１４０の両側縁部に沿って脚開口の側縁５１から延在する。縫い目６１は前片１３の上部で前片１３の側縁部へ向かって延在してよい。
【００１５】
理解されるように、縫い目６１は、ポーチ１３０の脚開口５０の側縁５１を形成する、特に材料の長手部において、材料片の側縁から対応する距離を置いて前片１３の反対主面上に位置決めされてよい。
【図面の簡単な説明】
【００１６】
【図１】ハーネスの後側から見た子供用ハーネスの概略図であり、かつハーネスへ連結でき、ハーネスの前側、即ち装着者の胸側で子供運搬ポーチを形成する材料片の内面を示す。
【図２】前片により形成された子供運搬ポーチおよびハーネスの隣接部分の概略側面図である。
【図１】
0004507187.tif 000002
【図２】
0004507187.tif 000003